(57)【特許請求の範囲】
【請求項１】
埋設基礎（１）と、該埋設基礎（１）上に、直立に略下半部分を埋設した長尺の底付□形中空金属柱Ａと、該柱Ａに間隔をおいて対置直立する短尺の底付□形中空金属柱Ｂとを設け、前記柱ＡとＢ間を接続する略コ字状の接続片（３）を柱Ａの全長高さの中間付近を基準に上下に重架接続し、前記柱Ａに接続片（３）を接続した側面の真裏の柱Ａ外縁に、水平に突設した枠片（１０）を地面に近接して設け、前記柱Ａの上先端開口部に□状蓋（４）と、柱Ｂの上先端開口部に略四角板面上に線香立（６）、花立（７）、水鉢皿（８）を配設した蓋（Ｃ）とを夫々着脱自在に設け、前記柱ＡとＢの埋設した外周部を包囲保護する保護菅（２）と、前記柱ＡとＢの地面境目の外周部を保護する地上基礎（９）と、胴が円筒で、該円筒周縁に左右対称の上向孔付取手（１２）を設け、凹状底板（２１）と口がつぼまった凸状の蓋（１３）を設けた壷状のお遺骨入用容器（Ｄ）と、Ｕ字棒（１４）と、該Ｕ字棒（１４）の中間に凸付の容器受台（１５）を固着し、Ｕ字棒（１４）の左右棒先間を着脱自在に連結する連結片（１６）を設けた容器支持棒（Ｅ）とからなり、垂直方向のＵ字棒（１４）の左右棒先に、複数の容器（Ｄ）の上向孔付取手（１２）の左右孔を夫々順次係入し、最下位容器（Ｄ）の凹状底板（２１）の凹部を、Ｕ字棒（１４）の中間の凸付容器受台（１５）側の凸部に係着させて積重ね、Ｕ字棒（１４）の左右棒先間を片状の連結片（１６）で着脱自在に連結し、最下位の容器（Ｄ）側より、直立の柱ＡとＢの夫々の上部開口部より挿脱可能に内挿されることを特徴とする底付□形中空金属柱墓。
【発明の詳細な説明】
【技術分野】
【０００１】  本発明は底付□形中空金属柱墓に関する。
【背景技術】
【０００２】  一般的に、和型一般墓石は石塔一基を中心とした構成が一般的で，棹石・上台・中台・芝台という４段の構造の地下に遺骨を収納するスペースがある構造の墓がある。
【発明の概要】
【発明が解決しようとする課題】
【０００３】  しかしながら近年、人口減少、少子化・高齢化社会にともない、お墓の維持管理が出来なくなる社会背景があり、多くの無縁仏の墓が廃棄され、墓じまいが多くなり、廃棄後の再生利用がしにくい行き場のない不要墓石が、野山に不法投棄されたり、お寺さんに集積され、処分に困る問題がある。【０００４】  従って、本発明は廃棄後の再生利用がしにくい重量石材の墓にかわり、軽量で再生利用が容易な底付□形中空金属柱墓を提供する事を目的とする。
【課題を解決するための手段】
【０００５】  上述した課題を解決するために、本発明は、埋設基礎（１）と、該埋設基礎（１）上に、直立に略下半部分を埋設した長尺の底付□形中空金属柱Ａと、該柱Ａに間隔をおいて対置直立する短尺の底付□形中空金属柱Ｂとを設け、前記柱ＡとＢ間を接続する略コ字状の接続片（３）を柱Ａの全長高さの中間付近を基準に上下に重架接続し、前記柱Ａに接続片（３）を接続した側面の真裏の柱Ａ外縁に、水平に突設した枠片（１０）を地面に近接して設け、前記柱Ａの上先端開口部に□状蓋（４）と、柱Ｂの上先端開口部に略四角板面上に線香立（６）、花立（７）、水鉢皿（８）を配設した蓋（Ｃ）とを夫々着脱自在に設け、前記柱ＡとＢの埋設した外周部を包囲保護する保護菅（２）と、前記柱ＡとＢの地面境目の外周部を保護する地上基礎（９）と、胴が円筒で、該円筒周縁に左右対称の上向孔付取手（１２）を設け、凹状底板（２１）と口がつぼまった凸状の蓋（１３）を設けた壷状のお遺骨入用容器（Ｄ）と、Ｕ字棒（１４）と、該Ｕ字棒（１４）の中間に凸付の容器受台（１５）を固着し、Ｕ字棒（１４）の左右棒先間を着脱自在に連結する連結片（１６）を設けた容器支持棒（Ｅ）とからなり、垂直方向のＵ字棒（１４）の左右棒先に、複数の容器（Ｄ）の上向孔付取手（１２）の左右孔を夫々順次係入し、最下位容器（Ｄ）の凹状底板（２１）の凹部を、Ｕ字棒（１４）の中間の凸付容器受台（１５）側の凸部に係着させて積重ね、Ｕ字棒（１４）の左右棒先間を片状の連結片（１６）で着脱自在に連結し、最下位の容器（Ｄ）側より、直立の柱ＡとＢの夫々の上部開口部より挿脱可能に内挿されることを特徴としている。【０００６】  このように構成された発明においては、長尺の底付□形中空金属柱Ａと、短尺の底付□形中空金属柱Ｂの夫々上先端開口部より中空内部に、Ｕ字棒（１４）に支持されたお遺骨を入れた容器（Ｄ）を挿脱可能に内挿すればよい。【０００７】  このように構成された発明によれば、長尺の柱Ａには御先祖様のお遺骨を収納して、短尺の柱Ｂにはごく身近なお遺骨を分けて収納できる。さらに、柱Ａ内には、将来、遺骨用の容器（Ｄ）を追加増設したい場合の余裕空域（２１）を設けて対応できる。
【発明の効果】
【０００８】  本発明の底付□形中空金属柱墓によれば、柱Ａと柱Ｂの中空内部がすべて遺骨入用の容器（Ｄ）の収納スペースになり、従来石墓より多く収容できる。新築・墓じまい・移築時には従来の重量石墓と比べて、本発明の墓材料は軽量で作業性がよく再生利用がしやすい。さらに、墓の平面設置面積が小さく、既存墓内の余地部でも増設ができて墓地不足対策になる。
【図面の簡単な説明】
【０００９】
【図１】本発明の実施形態を示す全体分解斜視図である。
【図２】全体平面図である。
【図３】図２の正面図である。
【図４】図２イ−イ矢視図である。
【図５】図３ロ−ロ矢視図である。
【図６】図３ハ−ハ矢視図である。
【図７】容器（Ｄ）と容器支持棒（Ｅ）の分解斜視図である。
【図８】柱Ａの□状蓋（４）の拡大分解斜視図である。
【図９】柱Ｂの略四角板の蓋（Ｃ）の拡大分解斜視図である。
【図１０】本発明による実施形態を示す全体斜視図である。
【発明を実施するための形態】
【００１０】  図１乃至図３に示すように、本発明の実施形態による底付□形中空金属柱墓は、長尺の底付□形中空金属柱Ａと、該柱Ａの上先端部に設けた□状蓋（４）と、短尺の底付□形中空金属柱Ｂと、該柱Ｂの上先端部に設けた略四角板の蓋（Ｃ）と、柱ＡとＢの対向側面間を接続する略コ字状の接続片（３）と、埋設基礎（１）と、保護菅（２）と、地上基礎（９）と、卒塔婆立用の枠片（１０）と、お遺骨入用容器（Ｄ）と、該容器支持棒（Ｅ）とで構成され、柱ＡとＢ内部に容器支持棒（Ｅ）で支持された容器（Ｄ）を、夫々の柱上先端開口部より垂直方向に容器支持棒（Ｅ）を介して引抜くことにより図１に示す形状になる。
【００１１】直立の長尺の底付口形中空金属柱Ａは、全長が略２ｍの１００ｍｍ〜２００ｍｍの□角金属菅を用い、上部開口部に着脱自在に□状蓋（４）を設け、下部を全長高さの略下半部分まで地面を掘下げて設けた埋設基礎（１）上に直立に設ける。
【００１２】直立の短尺の底付□形中空金属柱Ｂは、全長が略１．５ｍの、１００ｍｍ〜２００ｍｍの□角金属菅を用い、上部開口に着脱自在に線香立（６）、花立（７）、水鉢皿（８）とを略四角板表面上に配設した蓋（Ｃ）を設け、上記の柱Ａと共に埋設基礎（１）上に間隔をおいて対置直立に設ける。
【００１３】略コ字状の接続片（３）は、埋設基礎（１）面上に直立の柱ＡとＢとの対向側面間に、略コ字状接続片（３）を介して、長尺の柱Ａの全長高さの中間付近を基準に上下に重架接続する。
【００１４】保護菅（２）は、柱ＡとＢ埋設部の外周側面を土圧より保護する塩ビ菅、又はコンクリート菅を設ける。
さらに、地上に立ち上がる柱ＡとＢ外周側面部と地面との境目に厚み略１００ミリの地上基礎（９）を設けて夫々の柱を地面に直立に安定させる。
【００１５】卒塔婆立用の長方形状の枠片（１０）は、柱Ａに接続した接続片（３）側の真裏側への柱Ａ外縁面に、地面に近接して水平に突設した、長方形状の枠片（１０）を設ける。
【００１６】遺骨用の容器（Ｄ）は、円筒形状で、上部に凸状蓋（１３）と下部に凹状底板（２１）を有し、円筒周縁に左右対称に突設した上向孔付取手（１２）を設けた壷状の容器で、該容器（Ｄ）は垂直方向に上側の容器（Ｄ）の凹状底板（２１）の凹部に、下側容器（Ｄ）の上部の凸状蓋（１３）の凸部が係合して上下に積重ねて用いる。
【００１７】容器支持棒（Ｅ）は、丸鋼をＵ字にした棒で、該Ｕ字棒（１４）間の中央下部に、容器（Ｄ）の凹状底板（２１）側の凹部に係合する凸付の容器受台（１５）を固着し、Ｕ字棒（１４）の左右棒先に片状の連結片（１６）を着脱自在に連結する。そして、Ｕ字棒（１４）の左右棒先に、容器（Ｄ）の左右の孔付取手（１２）の孔を夫々順次係入し、垂直方向に上下に容器（Ｄ）を積重ね、Ｕ字棒（１４）の左右棒先を片状の連結片（１６）を着脱自在に連結し、前記柱ＡとＢの上部先端開口部より挿脱可能に内挿される構成である。
【００１８】図４乃至図６に示すように、図４は、Ｕ字棒（１４）に支持された容器（Ｄ）が、垂直方向に積重ねた状態で、柱ＡとＢの上部先端開口部より挿脱可能に内挿された構成を示す図である。
図５は、直立の□形状の柱ＡとＢの□形の対角線上の一方と他方の角部に、Ｕ字棒（１４）の一方と他方の夫々の棒を夫々の柱側面に沿って垂直方向に立上げ、該Ｕ字棒（１４）に支持された容器（Ｄ）を示す図である。    図６は、柱ＡとＢの埋設部周りを塩ビ菅、又は、コンクリート菅で包むように保護する保護菅（２）を設けた図を示す。
【００１９】図７に示すように、容器（Ｄ）は上側の容器（Ｄ）の凹状底板（２１）の凹部に、下側容器（Ｄ）の上部の凸状蓋（１３）の凸部が係合して上下に積重ねて用いる。そして、Ｕ字棒（１４）の左右棒先に、容器（Ｄ）の左右の孔付取手（１２）の孔を夫々順次係入し、垂直方向に容器（Ｄ）を積重ね、Ｕ字棒（１４）の左右棒先を片状の連結片（１６）を着脱自在に連結させる構成で、これらを垂直方向に引き抜くように分解することにより図７の形状になる。
【００２０】図８乃至図９に示すように、図８は、柱Ａの上先端開口部にビス（１９）を介して着脱自在に□状蓋（４）を設ける。
図９は、柱Ｂの上先端開口部に設けた、線香立（６）、花立（７）、水鉢皿（８）とを略四角板上に配設した蓋（Ｃ）を、ビス（１９）で着脱自在に設ける。
【００２１】図１０は、本発明の実施形態よる全体の底付口形中空金属柱墓の斜視図を示す。（１７）に名前を、（１８）には家紋がはいる。
【００２２】本発明によれば、墓の柱ＡとＢの中空内部の全てが遺骨用容器（Ｄ）の収納スペースで、お遺骨の収納数は従来の石墓より多く収納できる特性があり、墓じまい・移築時には、石墓より軽量で作業しやすく工事費が安く、損傷部分の金属溶接加工修理が容易にできる特徴効果がある。即ち、従来の石墓は新しい部材と取替えになる。
【００２３】また、本発明の墓は、設置平面面積巾が小さく、既存墓内の余地、企画外の土地、又は、道路側面に沿って設置も可能であり、柱Ａ内に容器（Ｄ）増設時の余裕空域（２１）も設けてある。
【００２４】さらに、生前に、他の親族と共に同じ墓に入りたくない希望がある時に、長尺の柱Ａには古い御先祖様の遺骨を収納し、短尺の柱Ｂには、ごく身近な親しい親族のお遺骨を区分して収納する、使い分けが出来る特徴があり、従来の石墓は、一箇所のスペースに全てのお遺骨の収納するのと違いがある。
【符号の説明】
【００２５】Ａ      長尺の底付□形中空金属柱
Ｂ      短尺の底付□形中空金属柱
Ｃ      蓋
Ｄ      お遺骨入用容器
Ｅ      容器支持棒
１      埋設基礎
２      保護菅
３      略コ字状の接続片
４      □状蓋
５      略四角板
６      線香立
７      花立
８      水鉢皿
９      地上基礎
１０    枠片
１１    円筒
１２    上向孔付取手
１３    蓋
１４    Ｕ字棒
１５    凸付の容器受台
１６    片状の連結片
１７    名前
１８    家紋
１９    ビス（ネジ・ナット）
２０    地面
２１    凹状下底板
２２    容器（Ｄ）を収納する余裕空域
２３    ビス（ナット）
【図１】
0006893753.tif 000002
【図２】
0006893753.tif 000003
【図３】
0006893753.tif 000004
【図４】
0006893753.tif 000005
【図５】
0006893753.tif 000006
【図６】
0006893753.tif 000007
【図７】
0006893753.tif 000008
【図８】
0006893753.tif 000009
【図９】
0006893753.tif 000010
【図１０】
0006893753.tif 000011